(57)【要約】【課題】  クーリングマットへの給水が必要な場合には、時間当たりの供給量と供給時間とを考慮して、節水しながら必要とされる給水を行うことを可能にする補助冷却装置の制御方法、特には給水方法を提供する。【解決手段】  冷凍サイクルの凝縮器の放熱部に吸い込まれる吸込空気を、水が流下されるクーリングマットを通して冷却させる補助冷却装置において、クーリングマットへの冷却水の供給量を、冷凍サイクルの圧縮機の吐出側における冷媒圧力に応じて作動する圧力スイッチの出力に基づいて制御する。圧力スイッチの出力を受けるタイマは、給水システムの電磁弁への制御信号を出力する。冷凍サイクルの負荷増大時から第一期間Ｔ１の間、連続給水をして放熱部の冷却を行う。その後、給水オンの第二期間Ｔ２と給水オフの第三期間Ｔ３とを繰り返す制御を、期間Ｔ４に渡って行う。流量を絞るのではなく時間制御により、クーリングマットへの給水量が制御される。【選択図】        図２
2006200863.tif 000002
【特許請求の範囲】
【請求項１】
冷凍サイクルの凝縮器の放熱部に吸い込まれる吸込空気を、水が流下されるクーリングマットを通して冷却させる冷却空気の補助冷却装置において、一定給水速度で給水する給水オン時間と、給水を停止する給水オフ時間とを制御することにより前記クーリングマットへの給水量を制御することから成る補助冷却装置の制御方法。
【請求項２】
前記冷凍サイクルに課せられる負荷が所定以上に達することに応じて前記クーリングマットへの給水の制御を開始し、前記負荷が所定未満に低下することに応じて前記クーリングマットへの給水を停止することから成る請求項１に記載の補助冷却装置の制御方法。
【請求項３】
前記凝縮器の上流側に設けられている前記冷凍サイクルの圧縮機の吐出側における冷媒の圧力又は温度が予め決められた値以上に高くなる又は予め決められた値未満に低下することで、前記冷凍サイクルに課せられる前記負荷が所定以上に達する又は所定未満に低下したと判断されることから成る請求項２に記載の補助冷却装置の制御方法。
【請求項４】
前記冷凍サイクルに課せられる前記負荷が所定以上に達したときから第一期間の間を前記給水オン時間とし、前記第一期間の経過後、前記第一期間よりも短い前記給水オン時間としての第二期間と、前記給水オフ時間としての第三期間とを交互に繰り返すことから成る請求項２又は３に記載の補助冷却装置の制御方法。
【請求項５】
前記第二期間と前記第三期間との比を制御することにより前記給水量を制御することから成る請求項４に記載の補助冷却装置の制御方法。
【請求項６】
前記補助冷却装置は、前記クーリングマットの上部において、前記クーリングマットへの滴下給水を行う多数の散水孔が形成された散水樋を備えており、前記一定給水速度は、前記散水孔からの滴下給水が定常的に確保される給水速度であることから成る請求項１に記載の補助冷却装置の制御方法。
【発明の詳細な説明】
【技術分野】
【０００１】
本発明は、空調・冷凍・冷蔵装置等に用いる熱交換手段である凝縮器などにおいて、気温が高いとき等に凝縮器の冷却用の吸い込み空気を、給水されたクーリングマットを通すことで冷却させる冷却空気の補助冷却装置の制御方法に関し、更に詳しくは当該補助冷却装置への給水方法に関する。
【背景技術】
【０００２】
従来、空調・冷凍・冷蔵装置等の冷凍サイクルに用いられる凝縮器は、冷媒を液化するときに発生する熱で高温になるので、これを冷却する必要がある。凝縮器の冷却を空気で行う空冷式は、装置構造が簡便なため安価であるが、夏場の高温時等に庫内・室内の冷却効率が落ちるという問題がある。そこで、空冷式凝縮器に補助冷却装置を用いることが数多く提案されており、その典型的な装置としては、放熱フィンに直接水を散布し冷却効率を向上させる補助冷却装置が知られている。
【０００３】
散水式の補助冷却装置は、空調室外機の凝縮器の放熱フィンに、細かい粒状または霧状の水をほぼ均一に散布する１基以上のスプレーノズル部と、このノズル部を作動・停止させる制御部とを備え、例えば、圧縮機が運転されている時に外気温度が３５℃前後の高温になった際に、昇温した放熱フィンに対し、各スプレーノズル部から余分にドレン水が出ないように水量を調整して水を散布し、この散布した水の蒸発潜熱によって冷媒管に設けられた放熱フィンを冷却するようになっている。この形式の補助冷却装置は、夏季以外の時期では、従来の空冷装置として運転するものであり、運転を長期にわたって続ける間に放熱フィン表面に水垢・スケール等が付着するため、空冷運転時の熱交換効率の低下や放熱フィンの腐食などが発生する。
【０００４】
空冷式凝縮器に用いる補助冷却装置の一例として、本出願人は、既に、凝縮器の放熱フィンの近傍にクーリングマットを配置させ、該クーリングマットに冷却水を流下させて凝縮器の吸込空気を冷却させる方式を提案している（特許文献１参照）。この方式の補助冷却装置は、冷却水を凝縮器の放熱フィンに直接吹き付けるのではなく、凝縮器の放熱フィンを冷却する空気を冷却水により間接的に冷却しているので、放熱フィンの冷却水による腐食やスケールの付着を生じることがない。また、この補助冷却装置は、従来の凝縮器に付加することができることから、既設ユニットに取付けが可能であり、また、着脱・洗浄も簡単である。更に、クーリングマットの製作には廃材を活用することもできるから、資源の有効利用にもなるという利点を備えている。
【０００５】
図３は補助冷却装置を固定した従来の室外機の概略を示す斜視図であり、図４は従来の冷凍サイクルの一例を示す概略図である。冷凍サイクルは、圧縮機１１、凝縮器２、ドライヤ１４、膨張弁１３及び蒸発器１２が冷凍サイクル１０を構成すべく冷媒管７で連結されている。従来周知の冷凍サイクル（図示せず）を構成する凝縮器の近傍、即ち、凝縮器２に付設された冷却ファン３とは一定距離離れた位置に補助冷却装置２０が設けられている。補助冷却装置２０は、マット状のクーリングマット２１、冷却水を溜める貯水槽２５、及び給水管３１に冷却水を供給する給水ユニット３０を具備している。図３に示すように、補助冷却装置２０は、上部に、給水ユニット３０から供給される冷却水をクーリングマット２１に流下させる散水樋２２、及びクーリングマット２１を蒸発し切ることなく流下した水分を集める排水樋２３を備えている。給水装置３０は、例えば、水道管に連通する給水管３１、給水管３１に介装され水道水を断水又は通水するための開閉弁となる電磁弁３２、電磁弁３２の開閉を制御するサーモスタット３３、及びサーモスタット３３を作動させるために補助冷却装置２０への流入空気の温度を計るセンサ３４を具備している。
【０００６】
クーリングマット２１は、冷却水がその落下に伴って飛び散ること、及び、冷却ファン３によって吸引される空気に伴って流されることを避けるために設置するものであり、クーリングマット２１の素材の性状としては、空気通過時の抵抗が少なく、且つ落下する冷却水との熱交換が円滑で、耐久性があるものが好ましい。空気を通し易いマットとして、例えば不織布状の繊維体、例えば、資源の有効利用の観点から廃プラスチックをリサイクルして繊維状に再加工したものを使用することが好ましい。クーリングマット２１の形状は凝縮器２における空気吸入面を略カバーする形状が望ましく、厚みについては、その素材・形状にもよるが、数センチ程度のものでよい。また、クーリングマット２１は伸縮可能な素材を選択することで設置を容易にすることができる。そして、このクーリングマット２１は支持部２７（図３参照）により凝縮器２に取り付けられる。
【０００７】
冷却水は、散水樋２２からすだれ状となってクーリングマット２１を伝って流下しつつ、凝縮器２に向かって通過する空気を冷却する。凝縮器２への吸込み空気を冷却した冷却水は、排水樋２３に集められる。散水樋２２は、給水装置３０の給水管３１から供給された冷却水をクーリングマット２１の上部分に均等に散水するものであり、その底部には、多数の散水孔が略均一に冷却水を滴下させてクーリングマット２１の上端部に注がれるように穿設されている。排水樋２３は、クーリングマット２１下部から滴下する冷却水を受ける樋である。クーリングマット２１を通過する冷却空気は、クーリングマット２１を流下する冷却水の気化熱によって効率よく冷却される。
【０００８】
この構成により、センサ３４が流入空気の温度が設定値以上又は以下となったことを感知すると、サーモスタット３３が働き、電磁弁３２を開閉させる。電磁弁３２が開状態になると給水管３１より散水ノズル（図示せず）を介して、クーリングマット２１に水道水を供給する。また、排水手段としては排水樋２３の一端部に接続された排水管２８（図４参照）を通じて貯水槽２５に排水されるか、或いは直接に地面に排水される。冷却水は、このように凝縮器２に流れ込む空気を冷却しながら循環する。
【０００９】
室外機１には１つの凝縮器２を配置したもので説明したが、２つの凝縮器２を鏡面対称的に配置し、補助冷却装置２０，２０ａもそれぞれの凝縮器２の空気流入側に設けて左右対称とすることもできる（図３参照）。また、凝縮器２と補助冷却装置２０の組み合わせを１セットとし、これを複数セット並行に配置させることもある。
【００１０】
冷却水は、水道水に代えて、蒸発器１２にて発生するドレン水を用いてもよい。即ち、ドレン水をドレンパンからポンプにより貯水槽に供給する。貯水槽２５の冷却水はポンプにより再び循環用配水管を経て給水ユニット３０により給水管３１に供給されると共に、冷却に供された後、再び散水樋２２を経て貯水槽２５に流れ込む。なお、上記散水樋２２及び排水樋２３は、それぞれ散水管及び排水管であってもよい。貯水槽２５には、レジオネラ除菌剤を入れることにより、衛生・環境の向上を図ることができる。上記除菌剤は、月に１回程度交換することにより、好ましい環境状況を維持できる。なお、貯水槽２５の水温はセンサ（図示せず）により常時監視し、設定温度以上になった場合は貯水槽２５の冷却水を排水し、同時に新たに例えば水道水を貯水槽２５に供給するようにしてもよい。また、貯水槽２５の冷却水は上記環境状態の維持のため１回／日強制排水してもよい。
【００１１】
このように、クーリングマットを用いた間接式の補助冷却装置においては、クーリングマットを放熱フィンから一定距離離して配置させることで、冷却水の放熱フィンへの影響（腐食、スケールの付着等）を確実に遮断することができ、また、クーリングマットの上部に散水手段を設け、クーリングマットの下部に排水手段を設け、且つ、排水手段と散水手段との間には冷却水を循環させるための循環用配管を設けることで、クーリングマットの給水・排水を円滑に行うとともに、冷却水の有効利用を図ること等も可能である。
【００１２】
補助冷却装置２０は、被冷却手段である凝縮機２の冷却能力を向上させることができ、間接冷却であることから、放熱フィンの冷却水による腐食やスケールの付着を生じることがないという優れた効果を奏し、従来の凝縮機に付加することができ、既設ユニットに取り付けが可能であり、また、着脱・洗浄の簡単であるという効果を奏することができる。さらに、クーリングマットは、廃材を使用することができるので、資源の有効利用にもなる。
【００１３】
従来の補助冷却装置への給水方法としては、水を散水樋２２にプールしておき、散水樋２２に形成された散水孔から如雨露のような形態でクーリングマットに滴下して落としている。水量調節は電磁弁のような流量調整弁によって供給量を制御することは可能であるが、時間当たりである供給量以下では散水樋２２にプールされる水量が少ないために、散水孔のところで水の表面張力が上回って散水孔から流れ落ちなくなる。一方、冷凍サイクルの運転状況を観察すると、例えば、大型店舗のように、来客数が急増する一時期（良く晴れた夏日で１日当たり数回）に冷凍サイクルへの負荷が大きくなり、補助冷却装置を作動させる必要があることが経験的に判明している。図５は、冷凍サイクル１０の負荷に応じて出力される圧力スイッチのスイッチ出力に基づく、従来の電磁弁の制御形態の一例を示す図である。圧力スイッチのスイッチ出力がオン（時刻ｔｓ）又はオフ（時刻ｔｅ）のときに電磁弁の給水状態もオン又はオフとなるような単純な制御形態にとどまっていた。
【特許文献１】特開２００４−３８０６号公報（段落［００１４］〜［００２３］、図１〜図３）
【発明の開示】
【発明が解決しようとする課題】
【００１４】
このため、従来にあっては、冷却水を途絶えなく供給するために、散水孔からの水が滴下を維持できる程度に常に水を散水樋２２に供給する給水方法が採られ、その結果、補助冷却装置が水の供給を必要とする時間は比較的短いにも拘らず水の無駄な消費量が増え、水道料金が高くなっていた。
【００１５】
この発明の目的は、上記のクーリングマットを用いた補助冷却装置において、クーリングマットへの給水が必要な場合には、時間当たりの供給量と供給時間とを考慮して、節水しながら必要とされるだけの給水を行うことにより上記不都合を解消可能な補助冷却装置の制御方法を提供することである。
【課題を解決するための手段】
【００１６】
上記課題を解決するために、本発明による補助冷却装置の制御方法は、冷凍サイクルの凝縮器の放熱部に吸い込まれる吸込空気を、水が流下されるクーリングマットを通して冷却させる冷却空気の補助冷却装置において、一定給水速度で給水する給水オン時間と、給水を停止する給水オフ時間とを制御することにより前記クーリングマットへの給水量を制御することから成っている。
【００１７】
この補助冷却装置の制御方法によれば、放熱部を冷却するためにクーリングマットへの給水が求められる場合には、時間当たり一定給水速度で給水する給水オン時間と、給水を停止する給水オフ時間とを制御することで、クーリングマットへの平均的給水量が制御される。クーリングマットは、給水されたときに水で良く濡れる領域と、給水停止によって濡れが少ない領域とが交互に並ぶ斑状となる。給水されているときの給水速度そのものを変更しないので、電磁弁の絞りを変更するというコストの高い制御をする必要がない。クーリングマットへの給水が、オン時の給水速度を一定とし、オンオフというタイマの間欠方式という安価で容易な制御をすることができる。したがって、冷凍サイクルに課せられる負荷の程度に応じて平均的な意味で給水量を変更することができる。
【００１８】
この補助冷却装置の制御方法において、冷凍サイクルに課せられる負荷が所定以上に達することに応じてクーリングマットへの給水の制御を開始し、当該負荷が所定未満に低下することに応じてクーリングマットへの給水を停止することができる。補助冷却装置における給水は、冷凍サイクルに課せられる負荷が所定以上に達することに応じて行い、当該負荷が所定未満に低下するときには、補助冷却装置に給水は不必要になるので、クーリングマットへの給水を停止することができる。
【００１９】
負荷の大きさに応じてクーリングマットへの給水とその停止を制御するに際して、凝縮器の上流側に設けられている冷凍サイクルの圧縮機の吐出側における冷媒の圧力又は温度が予め決められた値以上に高くなる又は予め決められた値未満に低下することで、冷凍サイクルに課せられる負荷が所定以上に達する又は所定未満に低下したと判断することができる。冷凍サイクルに課せられる負荷の大きさは、圧縮機の吐出側における冷媒の物理量である圧力又は温度に端的に表れる。したがって、これらの圧力又は温度の値を検知し、予め決められた値以上に高くなるか或いは予め決められた値（上昇時の値と同じであってもよいが、異なる値であってもよい）未満に低下することを、負荷の大きさの判定に用いることができる。圧力や温度は、センサによって感知することができる。
【００２０】
負荷の大きさに応じてクーリングマットへの給水とその停止を制御する際に、冷凍サイクルに課せられる負荷が所定以上に達したときから第一期間の間を給水オン時間とし、当該第一期間の経過後、第一期間よりも短い給水オン時間としての第二期間と、給水オフ時間としての第三期間とを交互に繰り返すことができる。冷凍サイクルに課せられる負荷が所定以上に達すると、その時から比較的時間の長い第一期間の間をともかく給水オン時間としてクーリングマットに多くの水量を供給し、課せられる負荷が上昇してきた冷凍サイクルの放熱部の冷却等の空気を効果的に冷却する。第一期間の間、冷凍サイクルの放熱部が積極的に冷却されるので、その経過後は、第一期間よりも短い給水オン時間としての第二期間と、給水オフ時間としての第三期間とを交互に繰り返すことで、冷凍サイクルの放熱部を比較的緩やかに冷却することができる。
【００２１】
第一期間から第三期間の期間でクーリングマットへの給水とその停止を制御する補助冷却装置における給水方法において、第二期間と第三期間との比を制御することにより平均的給水量を制御することができる。第二期間と第三期間との比を制御することにより、タイマで時間比が容易に変更可能になる。
【００２２】
この制御方法が適用される補助冷却装置は、クーリングマットの上部において、クーリングマットへの滴下給水を行う多数の散水孔が形成された散水樋を備えており、一定給水速度は、散水孔からの滴下給水が定常的に確保される給水速度であるとすることができる。即ち、補助冷却装置への給水は、クーリングマットの上部において備わる散水樋から、多数の散水孔を通して滴下することでクーリングマットへ給水される。給水量は、散水孔からの水が滴下を維持できる程度の水量とする。
【発明の効果】
【００２３】
本発明による補助冷却装置の制御方法は、上記のように構成されているので、放熱部を冷却するためにクーリングマットへの給水が求められる場合には、時間当たり一定給水速度で給水する給水オン時間と、給水を停止する給水オフ時間とを制御することで、クーリングマットへの平均的給水量が制御される。給水されているときの給水速度そのものを変更しないので、電磁弁の絞りを変更するというコストの高い制御をする必要がなく、クーリングマットへの給水を、オンオフというタイマの間欠方式による安価で容易な制御で行うことができる。クーリングマットへの給水が必要な場合には、時間当たりの供給量と供給時間とを考慮して、放熱部の積極的な冷却が必要な場合には補助冷却装置への給水を増やし、放熱部がある程度冷却されて冷凍サイクルの負荷が軽減された場合には、節水しながら必要とされる給水を行うという、細かな冷却制御を行うことができる。
【発明を実施するための最良の形態】
【００２４】
本発明の実施の形態を、図１及び図２を用いて説明する。図１は、本発明に係る補助冷却装置における給水方法が適用される冷凍サイクルと給水システムの全体概略図であり、図２は図１に示す給水システムにおける給水制御形態の一例を示すタイムチャートである。本発明の補助冷却装置が適用される空調・冷却・冷凍装置及びその室外機は、図３及び図４を参照して説明した構造を持つことができ、冷凍サイクル（図示せず）を構成する凝縮器が収容された室外機において、凝縮器の近傍、即ち、凝縮器に付設された冷却ファン３とは一定距離離れた位置に補助冷却装置２０が設けられる。ここでは、同じ機能を奏する構成要素には同じ符号を付すことで、再度の説明を省略する。
【００２５】
図１及び図２において、給水システムは、貯水槽２５に溜められた冷却用水が、ポンプ８０によって吸い上げられ、ストレーナ８１を通じて給水ユニット３０に供給される。給水ユニット３０は、配管系として、電磁弁３２及び流量調整弁３５を備え、給水管３１を通じて補助冷却装置２０に給水すべく接続されている。給水ユニット３０は、また、信号系として、圧縮機１１の吐出側（凝縮器２の上流側）に配置された高圧圧力に応じて出力する圧力スイッチ３６と、圧力スイッチ３６からの出力を受けて作動するタイマ３７とを備えている。タイマ３７は、出力がオン時間の長さやオンオフを繰り返すときのヂューティ比を制御可能なデジタル式のタイマでよく、電磁弁３２を開閉制御する。したがって、電磁弁３２は、可変流量式の電磁弁である必要はなく、単純なオンオフ式の開閉のみを制御可能な電磁弁とすることができる。
【００２６】
図２は、上部が圧縮機の吐出側における冷媒圧力に応答して作動する圧力スイッチ３６のスイッチ出力例を示すグラフである。時刻ｔｓに圧力スイッチ３６のスイッチ出力がオンの状態となり、そのオン状態が時刻ｔｅまで継続している。図２の下部のグラフは、圧力スイッチ３６のスイッチ出力に応答して、タイマ３７が出力する電磁弁３２への制御信号の一例である。
【００２７】
冷凍サイクル１０に課せられる負荷の大きさは、圧縮機１１の吐出側における冷媒の物理量である圧力又は温度に端的に表れる。図示の例では圧力スイッチ３６が、この圧力によって作動しており、予め決められた値以上に高くなるか或いは予め決められた値（上昇時の値と同じであってもよいが、異なる値であってもよい）未満に低下することに応じて、出力がオンオフしている。即ち、この出力は、冷凍サイクル１０に課せられる負荷が所定以上に達する又は所定未満に低下したことに応答してなされた出力とみなすことができる。冷凍サイクル１０に課せられる負荷の大きさは、圧縮機１１の吐出側における冷媒の温度でもよい。また、圧力スイッチ３６のように特定の圧力で作動するスイッチに代えて、センサによって圧力や温度を検出し、マイクロコンピュータで検出信号を処理するようにしてもよい。
【００２８】
冷凍サイクル１０に課せられる負荷が所定以上に達することに応じて、時刻ｔｓに補助冷却装置２０のクーリングマット２１への給水の制御が開始され、当該負荷が所定未満に低下することに応じて、時刻ｔｅにクーリングマット２１への給水が停止される。このように、冷凍サイクルに課せられる負荷の大きさに応じて給水制御を行うので、当該負荷が所定未満に低下するときには、補助冷却装置に給水は不必要になり、クーリングマット２１への給水が停止される。
【００２９】
図２に示す給水制御では、時刻ｔｓから第一期間Ｔ１の間を給水オン時間とし、第一期間Ｔ１の経過後、第一期間Ｔ１よりも短い給水オン時間としての第二期間Ｔ２と、給水オフ時間としての第三期間Ｔ３とが交互に繰り返される。時刻ｔｓは冷凍サイクル１０に課せられる負荷が所定以上に達した時刻であるので、その後、比較的時間の長い第一期間Ｔ１の間をともかく給水オン時間としてクーリングマット２１に多くの水量を供給し、負荷が増大してきた冷凍サイクル１０の放熱部の冷却等の空気を積極的に冷却する。第一期間Ｔ１経過後は、放熱部の冷却が進み、負荷が低減したと期待されるので、第一期間Ｔ１よりも短い給水オン時間としての第二期間Ｔ２と、給水オフ時間としての第三期間Ｔ３とを交互に繰り返すことで、冷凍サイクル１０の放熱部を比較的緩やかに冷却することができる。この給水オンとオフの繰り返し期間Ｔ４は、時刻ｔｅまで継続される。
【００３０】
上記の給水制御において、第二期間Ｔ２と第三期間Ｔ３との比（デューティ比）を制御することにより繰り返し期間Ｔ４における平均的給水量を制御することができる。繰り返し期間Ｔ４において、第二期間Ｔ２と第三期間Ｔ３は、一旦定めれば、同じ時間長さに維持される。第二期間Ｔ２と第三期間Ｔ３との比の制御は、タイマ３７においては、時間比として容易に設定可能である。また、負荷の大きさによって、その比自体も変更可能とすることができる。
【００３１】
このように、放熱部を冷却するためにクーリングマットへの給水が求められる場合には、時間当たり一定給水速度で給水する給水オン時間と、給水を停止する給水オフ時間とを制御することによりクーリングマット２１への平均的給水量が制御される。クーリングマット２１は、給水されたときに水で良く濡れる領域と、給水停止によって濡れが少ない領域とが交互に並ぶ斑状となる。電磁弁３２の開閉制御であって、給水速度そのものを変更しないので、電磁弁の絞りを変更するというコストの高い制御をする必要がない。また、クーリングマット２１への給水が、オン時の給水速度を一定とし、オンオフというタイマの間欠方式という安価で容易な制御をすることができる。したがって、冷凍サイクル１０に課せられる負荷の程度に応じて給水量を調整することができる。
【００３２】
補助冷却装置２０は、クーリングマット２１の上部において、クーリングマット２１への滴下給水を行う多数の散水孔が形成された散水樋２２を備えており、一定給水速度は、散水孔からの滴下給水が定常的に確保される給水速度に設定するのが好ましい。このように設定することで、水の表面張力で散水孔からの滴下が停止するという事態を防止することができる。
【図面の簡単な説明】
【００３３】
【図１】本発明に係る補助冷却装置における給水方法が適用される冷凍サイクルと給水システムの全体概略図。
【図２】図１に示す給水システムにおける給水制御形態の一例を示すタイムチャート。
【図３】冷却空気の補助冷却装置を組み込んだ冷凍サイクルの室外機を示す概略斜視図。
【図４】冷却空気の補助冷却装置を組み込んだ冷凍サイクルを説明する図。
【図５】給水システムにおける従来の給水制御形態の一例を示すタイムチャート。
【符号の説明】
【００３４】
１  室外機
２  凝縮器
３  冷却ファン
７  冷媒管
１０  冷凍サイクル
１１  圧縮機
１２  蒸発器
１３  膨張弁
１４  ドライヤ
２０，２０ａ  補助冷却装置
２１  クーリングマット
２２  散水樋
２３  排水樋
２５  貯水槽
２７  支持部
２８  排水管
３０  給水ユニット
３１  給水管
３２  電磁弁
３３  サーモスタット
３４  センサ
３５  流量調整弁
３６  圧力スイッチ
３７  タイマ
８０  ポンプ
８１  ストレーナ
ｔｓ  時刻（給水開始時刻）
ｔｅ  時刻（給水終了時刻）
Ｔ１  第一期間
Ｔ２  第二期間
Ｔ３  第三期間
Ｔ４  繰り返し期間
【図１】
2006200863.tif 000003
【図２】
2006200863.tif 000004
【図３】
2006200863.tif 000005
【図４】
2006200863.tif 000006
【図５】
2006200863.tif 000007